(57)【要約】  液体の吸収を増大するためのシステムおよび装置が記載される。いくつかの実施形態は、高吸収性材料およびイオン交換媒体（ＩＥＭ）を含有する吸収層を有するドレッシングを含み得る。いくつかの実施形態において、吸収層は吸収繊維を含み得る。吸収繊維はそれぞれ、水透過層によって囲まれた高吸収性コアを含み得、水透過層にはイオン交換媒体（ＩＥＭ）がグラフトされ得る。液体がＩＥＭと接触するとき、そのイオン特性は低減され得、従って、高吸収性材料の吸収性を保護する。【選択図】図１
2017537670.tif 000002
【特許請求の範囲】
【請求項１】
繊維において、
吸収コアと、
前記吸収コアの周囲に配置されたフィルタ層と、
前記フィルタ層中に配置され、かつ流体のイオン濃度を低減するように適合されたイオン交換媒体と
を含むことを特徴とする繊維。
【請求項２】
請求項１に記載の繊維において、前記フィルタ層が前記吸収コアにコーティングされることを特徴とする繊維。
【請求項３】
請求項１に記載の繊維において、前記フィルタ層が前記吸収コアを取り囲むことを特徴とする繊維。
【請求項４】
請求項１乃至３の何れか１項に記載の繊維において、前記イオン交換媒体がカチオン交換媒体を含むことを特徴とする繊維。
【請求項５】
請求項１乃至３の何れか１項に記載の繊維において、前記イオン交換媒体がアニオン交換媒体を含むことを特徴とする繊維。
【請求項６】
請求項１乃至３の何れか１項に記載の繊維において、前記イオン交換媒体が、
カチオン交換媒体と、
アニオン交換媒体と
を含み、前記カチオン交換媒体および前記アニオン交換媒体が前記フィルタ層全体に分散されることを特徴とする繊維。
【請求項７】
請求項１に記載の繊維において、前記イオン交換媒体が、酸性ポリマーでドープまたはグラフトされた架橋ポリマーから形成された多孔性ビーズを含むことを特徴とする繊維。
【請求項８】
請求項７に記載の繊維において、前記架橋ポリマーがポリスチレンを含み、および前記酸性ポリマーが、ポリ（２−アクリルアミド−２−メチル−１−プロパンスルホン酸）およびポリ（アクリルアミド−Ｎ−プロピルトリメチルアンモニウムクロリド）を含むことを特徴とする繊維。
【請求項９】
請求項１に記載の繊維において、前記イオン交換媒体がアルカリ性ポリマーを含むことを特徴とする繊維。
【請求項１０】
請求項９に記載の繊維において、前記アルカリ性ポリマーがポリ（アクリルアミド−Ｎ−プロピルトリメチルアンモニウムクロリド）であることを特徴とする繊維。
【請求項１１】
請求項１に記載の繊維において、前記イオン交換媒体がゼオライトを含むことを特徴とする繊維。
【請求項１２】
請求項１乃至１１の何れか１項に記載の繊維において、前記フィルタ層が水透過性であることを特徴とする繊維。
【請求項１３】
請求項１乃至１１の何れか１項に記載の繊維において、前記フィルタ層がポリマーコーティングを含むことを特徴とする繊維。
【請求項１４】
請求項１３に記載の繊維において、前記ポリマーコーティングが、架橋ポリビニルアルコール、ポリビニルピロリドン、ポリウレタン、ポリアクリルアミド、およびポリエチレンオキシドの少なくとも１つを含むことを特徴とする繊維。
【請求項１５】
請求項１乃至１４の何れか１項に記載の繊維において、前記吸収コアが高吸収性材料を含むことを特徴とする繊維。
【請求項１６】
請求項１５に記載の繊維において、前記高吸収性材料が高吸収性ポリマーであることを特徴とする繊維。
【請求項１７】
請求項１６に記載の繊維において、前記高吸収性ポリマーがヒドロゲルであることを特徴とする繊維。
【請求項１８】
組織部位を処置するための吸収ドレッシングにおいて、
前記組織部位からの流体のイオン濃度を低減するように適合されたイオン交換媒体と、
前記低減されたイオン濃度を有する流体を吸収するように適合された吸収材と
を含むことを特徴とする吸収ドレッシング。
【請求項１９】
請求項１８に記載の吸収ドレッシングにおいて、前記吸収材が複数の吸収繊維へと形成されることを特徴とする吸収ドレッシング。
【請求項２０】
請求項１８または１９に記載の吸収ドレッシングにおいて、前記イオン交換媒体がカチオン交換媒体を含むことを特徴とする吸収ドレッシング。
【請求項２１】
請求項１８または１９に記載の吸収ドレッシングにおいて、前記イオン交換媒体がアニオン交換媒体を含むことを特徴とする吸収ドレッシング。
【請求項２２】
請求項１８乃至２１の何れか１項に記載の吸収ドレッシングにおいて、前記イオン交換媒体が前記吸収材の周囲のフィルタ層中に分散されることを特徴とする吸収ドレッシング。
【請求項２３】
請求項１８に記載の吸収ドレッシングにおいて、
前記吸収材が吸収ストランドを含み、および
前記イオン交換媒体が前記吸収ストランドの周囲で撚られたストランド中に分散されることを特徴とする吸収ドレッシング。
【請求項２４】
請求項１８乃至２３の何れか１項に記載の吸収ドレッシングにおいて、前記吸収材が高吸収性材料を含むことを特徴とする吸収ドレッシング。
【請求項２５】
請求項２４に記載の吸収ドレッシングにおいて、前記高吸収性材料が高吸収性ポリマーであることを特徴とする吸収ドレッシング。
【請求項２６】
請求項１８に記載の吸収ドレッシングにおいて、前記吸収材が繊維コアであり、および前記イオン交換媒体が前記繊維コアの周囲の層中に分散されることを特徴とする吸収ドレッシング。
【請求項２７】
請求項２６に記載の吸収ドレッシングにおいて、前記イオン交換媒体が前記繊維コアの周囲のポリマーコーティング中に分散されることを特徴とする吸収ドレッシング。
【請求項２８】
組織部位を処置するためのシステムにおいて、
減圧源と、
前記減圧源と流体連通するように適合された吸収層であって、
前記組織部位からの流体を吸収するように適合された吸収材料、および
前記流体のイオン濃度を低減するように適合されたイオン交換媒体
を含む吸収層と、
前記吸収層を覆うように適合されたドレープと
を含むことを特徴とするシステム。
【請求項２９】
請求項２８に記載のシステムにおいて、容器をさらに含み、前記容器は、その中に配置された吸収シートを有し、かつ前記組織部位および前記減圧源と流体連通するように適合されていることを特徴とするシステム。
【請求項３０】
請求項２８または２９に記載のシステムにおいて、前記吸収層と前記組織部位との間に配置されるように適合されたマニホルドをさらに含むことを特徴とするシステム。
【請求項３１】
請求項２８乃至３０の何れか１項に記載のシステムにおいて、前記イオン交換媒体が、酸性ポリマーでドープまたはグラフトされた架橋ポリマーから形成された多孔性ビーズを含むことを特徴とするシステム。
【請求項３２】
組織部位からの流体を貯蔵するための容器において、
内側、流体入口および流体出口を有する本体と、
前記内側内に配置された吸収層であって、
吸収材料、および
前記内側内の流体のイオン濃度を低減するように適合されたイオン交換媒体
を含む吸収層と
を含むことを特徴とする容器。
【請求項３３】
請求項３２に記載の容器において、前記イオン交換媒体が前記吸収材料の周囲に配置されて繊維を形成することを特徴とする容器。
【請求項３４】
請求項３２に記載の容器において、前記イオン交換媒体が、酸性ポリマーでドープまたはグラフトされた架橋ポリマーから形成された多孔性ビーズを含むことを特徴とする容器。
【請求項３５】
請求項３４に記載の容器において、前記架橋ポリマーがポリスチレンを含み、および前記酸性ポリマーが、ポリ（２−アクリルアミド−２−メチル−１−プロパンスルホン酸）およびポリ（アクリルアミド−Ｎ−プロピルトリメチルアンモニウムクロリド）を含むことを特徴とする容器。
【請求項３６】
請求項３２に記載の容器において、前記イオン交換媒体がゼオライトを含むことを特徴とする容器。
【請求項３７】
組織部位を処置するための方法において、
前記組織部位の近くに吸収層を配置するステップと、
ドレープを用いて前記組織部位に前記吸収層を取り付けるステップであって、前記吸収層が、
吸収材料、および
前記吸収層に引き込まれる流体のイオン濃度を低減するように適合されたイオン交換媒体
を含む、ステップと
を含むことを特徴とする方法。
【請求項３８】
請求項３７に記載の方法において、
前記組織部位と前記吸収層との間にマニホルドを配置するステップと、
減圧源を前記マニホルドに流体結合するステップと、
減圧を前記組織部位に供給して流体を前記組織部位から前記吸収層へ引くステップと
をさらに含むことを特徴とする方法。
【請求項３９】
請求項３８に記載の方法において、容器を前記マニホルドと前記減圧源との間で流体結合するステップをさらに含み、第２吸収層が前記容器内に配置されることを特徴とする方法。
【請求項４０】
組織部位を処置するためのシステムにおいて、
減圧を提供するための減圧源と、
流体を前記組織部位から収集するために前記組織部位および前記減圧源と流体連通するように適合された流体貯蔵部材と、
減圧を受け、かつ前記減圧を前記組織部位全体へ分配するように適合されたマニホルドと、
前記マニホルドを覆い、かつ前記組織部位に実質的に流体密のシールを提供するように適合されたドレープと、
前記減圧源と流体連通するように適合された吸収層であって、
支持体、および
複数の多層繊維であって、各多層繊維が吸収コアの周囲に配置されたイオン交換媒体を含む、複数の多層繊維
を含む吸収層と
を含むことを特徴とするシステム。
【請求項４１】
システム、装置および方法において、実質的に本明細書に記載されるようなものであることを特徴とするシステム、装置および方法。
【発明の詳細な説明】
【技術分野】
【０００１】
本出願は、２０１４年１０月６日に出願された“Ｍｕｌｔｉ−Ｆｕｎｃｔｉｏｎ  Ｄｒｅｓｓｉｎｇ  Ｓｔｒｕｃｔｕｒｅ  ｆｏｒ  Ｎｅｇａｔｉｖｅ  Ｐｒｅｓｓｕｒｅ  Ｔｈｅｒａｐｙ”という名称のＲｏｂｉｎｓｏｎらに対する米国仮特許出願第６２／０６０，０９８号明細書、および２０１４年１２月２４日に出願された“Ｉｏｎ  Ｅｘｃｈａｎｇｅ  Ａｂｓｏｒｂｅｎｔ  Ｓｙｓｔｅｍｓ，Ａｐｐａｒａｔｕｓｅｓ，ａｎｄ  Ｍｅｔｈｏｄｓという名称のＬｏｃｋｅらに対する米国仮特許出願第６２／０９６，６６９号明細書に対する優先権およびその利益を主張し、これらの仮特許出願の両方が参照により本明細書に援用される。
【０００２】
付随する請求項に記載される本発明は、概して、組織部位の処置および流体の処理に関する。より詳細には、しかし限定としてではなく、本明細書に記載される主題は、イオン交換媒体を有する吸収材に関する。
【背景技術】
【０００３】
創傷の治療に吸収材料を使用する有益性が知られている一方、特定の種類の創傷を処置する費用および複雑さは、特に負圧治療と組み合されているとき、制限因子であり得る。特に、高吸収性ポリマーから形成された吸収材を組み込む創傷ドレッシングは、公称吸収能力より低い実際の吸収能力を呈することがよくある。これは追加の吸収材の使用を必要とし得るか、または組織部位の処置に必要なドレッシング交換の回数を増大し得る。使用される吸収材の量およびドレッシング交換の回数の増大は、創傷治療の効果および費用に悪影響を及ぼす可能性がある。
【発明の概要】
【０００４】
説明に役立つ実施形態によれば、繊維は、吸収コア、フィルタ層およびイオン交換媒体を含み得る。フィルタ層は、吸収コアの周囲に配置され得る。イオン交換媒体は、フィルタ層中に配置され得、かつ流体のイオン濃度を低減するように適合され得る。
【０００５】
別の説明に役立つ実施形態によれば、組織部位を処置するための吸収ドレッシングは、イオン交換媒体および吸収材を含み得る。イオン交換媒体は、流体のイオン濃度を低減するように適合され得る。吸収材料は、組織部位から流体を吸収するように適合され得る。
【０００６】
さらに別の説明に役立つ実施形態によれば、組織部位を処置するためのシステムは、減圧源、吸収層およびドレープを含み得る。減圧源は、減圧を提供するためのものであり得る。吸収層は、減圧源と流体連通するように適合され得る。吸収層は、組織部位から流体を吸収するように適合された吸収材料と、流体のイオン濃度を低減するように適合されたイオン交換媒体とを含み得る。ドレープは、吸収層を覆うように適合され得る。
【０００７】
なおも別の説明に役立つ実施形態によれば、組織部位からの流体を貯蔵するための容器は、本体および吸収層を含み得る。本体は、内側部分、流体入口および流体出口を含み得る。吸収層は、吸収材料と、内側部分内の流体のイオン濃度を低減するように適合されたイオン交換媒体とを含み得る。
【０００８】
なおも別の説明に役立つ実施形態によれば、組織部位を処置するための方法は、組織部位の近くに吸収層を配置するステップと、ドレープを用いて吸収層を組織部位に取り付けるステップとを含み得る。吸収層は、吸収材料と、吸収層に引き込まれる流体のイオン濃度を低減するように適合されたイオン交換媒体とを含み得る。方法はまた、組織部位と吸収層との間にマニホルドを配置するステップと、減圧源をマニホルドに流体結合するステップと、減圧を組織部位に供給して流体を組織部位から吸収層へ引くステップとを含み得る。
【０００９】
なおも別の説明に役立つ実施形態によれば、組織部位を処置するためのシステムは、減圧源、流体貯蔵部材、マニホルド、ドレープ、および吸収層を含み得る。流体貯蔵部材は、組織部位および減圧源と流体連通するように適合され得る。マニホルドは減圧を受け、減圧を組織部位へ分配するように適合され得る。ドレープは、マニホルドを覆い、かつ組織部位に実質的に流体密のシールを提供するように適合され得る。吸収層は、支持体材料と複数の多層繊維とを含み得る。各多層繊維は、吸収コアの周囲に配置されたイオン交換媒体を含み得る。
【００１０】
説明に役立つ実施形態の他の態様、特徴および利点は、以下の図面および詳細な記載を参照すると明らかになる。
【図面の簡単な説明】
【００１１】
【図１】図１は、吸収層の説明に役立つ実施形態の概略図である。
【図２】図２は、図１の吸収層の吸収繊維の断面概略図である。
【図３】図３は、吸収層の別の説明に役立つ実施形態の概略図である。
【図４】図４は、吸収層のまた別の説明に役立つ実施形態の概略図である。
【図５】図５は、吸収層のいくつかの実施形態に関連付けられ得る減圧治療システムを示す機能的なブロック図である。
【図６】図６は、図５の減圧治療システムの容器の説明に役立つ実施形態の断面図である。
【発明を実施するための形態】
【００１２】
非限定的な説明に役立つ実施形態の以下の詳細な記載において、その一部を形成する添付図面が参照される。他の実施形態が利用可能であり、論理的、構造的、機械的、電気的および化学的な変更形態が、付随する請求項の範囲から逸脱することなくなされ得る。当業者が本明細書に記載される実施形態を実行することを可能にするのに必ずしも必要ない詳細を回避するために、本記載は当業者に知られている特定の情報を省略する場合がある。以下の詳細な記載は非限定的なものであり、これらの説明に役立つ実施形態の範囲は付随する請求項によって定義される。
【００１３】
図１は、吸収層１０２の例示的実施形態の概略的な図である。吸収層１０２は、繊維マトリックス１０４などの織布または不織布マトリックスを含み得るか、またはそれからなり得る。繊維マトリックス１０４は、互いに束ねられ得るかまたは撚られ得る繊維１０６などの長繊維から形成され得る。繊維マトリックス１０４は、吸収層１０２の長さおよび幅の両方に沿って配置された繊維１０６を含み得る。吸収層１０２は、２つ以上の繊維マトリックス１０４の層を含み得る。例えば、いくつかの実施形態では、繊維マトリックス１０４の層の数は、創傷または組織部位の特定の種類、および創傷から流出されると予想される流体または滲出液の量に合わせて作ることができる。
【００１４】
図２は、繊維１０６の例示的実施形態の断面概略図であり、いくつかの実施形態に関連付けられ得る追加的な細部を示している。繊維１０６は多数の層を含み得る。例えば、図２の実施形態において、繊維１０６は、コア２０８などの吸収コアと、フィルタ層２１０とを含み得る。
【００１５】
コア２０８は、吸収材料を含み得るか、または吸収材料からなり得、吸収材料は液体を保持、安定化および／または固化するために使用される材料であり得る。吸収材料は親水性材料であり得る。吸収材料は、流体を組織部位から引き離すまたは吸い上げるために吸収勾配を提供し得る。組織部位からの流体は吸収勾配によって引かれ得、次いで吸収材料によって吸収され得る。吸収材料は、吸収材料に対する物理的または化学的変化と共に流体を保持し得るか、または流体と結合し得る。吸収材料は、例えば組織部位からの流体と接触すると半固体状の液体になり得るか、粘度が増大し得るか、または厚くなり得、それにより流体を捕捉する。吸収材料の吸上げ特性は、組織部位から流体、例えば滲出液を迅速に引き離すことを促進し得、その結果、組織部位またはその近くに流体が蓄積することを防止し得る。
【００１６】
いくつかの実施形態では、吸収材料は、高吸収性材料を含み得る。例えば、吸収材料は、カルボキシメチルセルロース（ＣＭＣ）、またはカルボキシメチルセルロース塩、架橋親水性アクリル、または架橋親水性アクリル塩、またはアクリルアミドなど、１種または複数種の高吸収性材料を含み得る。いくつかの実施形態では、例えば、高吸収性材料は、一般にヒドロゲルまたは親水コロイドと呼ばれる種類のものなどの高吸収性ポリマー（ＳＡＰ）であり得る。一般に、それらの質量に比して、ＳＡＰは大量の液体、特に水を吸収し保持することができる。キャニスタまたはドレッシングなどの医療用使い捨て製品は、創傷流体および他の滲出液を保持し、かつ安定化または固化するためにＳＡＰを使用する場合がある。
【００１７】
ＳＡＰは、いくつかの方法で、例えば、ゲル重合、溶液重合または懸濁重合によって形成され得る。ゲル重合は、アクリル酸、水、架橋剤および紫外線（ＵＶ）開始剤化学物質の混合を伴い得る。混合された混合物は反応器に入れられ得、そこで混合物は、ＳＡＰを形成する架橋反応を引き起こすためにＵＶ光に暴露される。混合物は乾燥かつ破砕され得、次いで梱包および／または配送される。溶液重合は、反応物重合ゲルの塊を生成する水ベースモノマー溶液を必要とし得る。モノマー溶液は、モノマーの架橋を促進する発熱性の反応を経る可能性がある。架橋プロセス後、反応物ポリマーゲルは、細断、乾燥および粉砕され得、その最終の粒状サイズにされる。懸濁重合は、炭化水素ベース溶液中に懸濁される水ベース反応物を必要とし得る。
【００１８】
一般に、ＳＡＰは、水素結合を介して水分子と結合することによって液体を吸収する。水素結合は、極性水素原子と電気的陰性原子との相互作用を伴う。その結果、ＳＡＰは、電気的陰性イオン成分を有するＳＡＰの親水性ポリマーと結合する各水分子中の水素原子の能力に基づいて水を吸収する。高吸収性ＳＡＰは、塩または遊離酸の形態のアクリルまたはアクリルアミドなどのイオン性架橋親水性ポリマーから形成可能である。
【００１９】
ＳＡＰはイオン性であるため、それらは吸収される溶液中の可溶性イオン性成分によって影響を及ぼされる可能性があり、および例えば、純水と比べて食塩水を吸収しない可能性がある。この食塩水のより低い吸収率は、ＳＡＰの水吸収部位の一部を遮断するナトリウムイオンおよび塩化物イオンによって引き起こされる。ＳＡＰによって吸収される流体が、溶解されたミネラルイオンを含有する溶液である場合、溶液中の水分子のより少ない水素原子が自由にＳＡＰと結合し得る。このように、流体を吸収しかつ保持するＳＡＰの能力は、流体のイオン濃度に依存し得る。例えば、ＳＡＰは脱イオン水を乾燥ＳＡＰの重量の５００倍まで吸収かつ保持し得る。体積の観点では、ＳＡＰはＳＡＰの乾燥体積の３０〜６０倍程度の高さの流体体積を吸収し得る。より高いイオン濃度を有する他の流体は、より低い量で吸収され得る。例えば、ＳＡＰは、０．９％塩である溶液（ＮａＣｌ）を、乾燥ＳＡＰの重量の５０倍まで吸収しおよび保持するのみであり得る。
【００２０】
創傷流体はナトリウム、カリウムおよびカルシウムなどの塩を含有する場合があるため、ＳＡＰの吸収能力は、創傷処置に使用されるときに著しく低減される可能性がある。吸収能力の低減は、追加的な量のＳＡＰの使用を必然的に伴う可能性があり、これはドレッシングまたは流体貯蔵装置の嵩全体を大幅に増す可能性がある。さらに、多くの治療システムにおいて、追加量のＳＡＰを使用することは、ドレッシングまたは容器の寸法制限が原因で不可能であり得る。
【００２１】
本明細書に記載されるシステム、装置および方法は、吸収繊維にイオン交換媒体（ＩＥＭ）を提供することによってこれらの欠点およびその他の欠点を克服することができる。その結果、高吸収機能と組み合わされた創傷流体媒体からイオン物質を除去するための簡素化された設計が提供される。そのような設計は、創傷ドレッシング、流体取扱いキャニスタまたは貯蔵容器の一部として組み込むことができる。
【００２２】
図２をなおも参照すると、例えば、コア２０８は、少なくとも部分的にフィルタ層２１０に取り囲まれ得、ＩＥＭ２１２はフィルタ層２１０内に配置され得る。いくつかの実施形態では、フィルタ層２１０は、コア２０８の外側にコーティングされ得、水溶性または水膨張性ポリマーであり得る。水溶性または水膨張性ポリマーは、架橋ポリビニルアルコール、ポリビニルピロリドン、ポリウレタン、ポリアクリルアミド、およびポリエチレンオキシドを含み得る。ＩＥＭ２１２は、ビーズまたは他の粒子の形態のイオン交換樹脂であり得、それはフィルタ層２１０の表面にグラフトされ得る。代替的に、イオン交換樹脂は、ポリスチレンにグラフトされ得、およびフィルタ層２１０全体に分散され得る。繊維１０６の直径は、約１〜５０マイクロメートルの範囲内、より典型的には約５〜２５マイクロメートルの範囲内であり得、特定の使用に望まれ得るまたは適切であり得るコア２０８およびフィルタ層２１０の寸法に依存する。
【００２３】
ＩＥＭ２１２は、コア２０８と接触するように進入する創傷流体内のイオン化粒子の数を低減し得る。例えば、ＩＥＭ２１２は、およそ１％〜８０％の範囲内で創傷流体中のイオン化粒子の数の低減を実現し得る。いくつかの好ましい実施形態において、ＩＥＭ２１２は、創傷流体中のイオン化粒子濃度の約２５％の低減を実現し得る。ＩＥＭ２１２は、２つの電解質間または電解液と錯体との間のイオン交換を実現するように適合され得る。電解質は、水などの適切なイオン化溶媒中で溶解されるとイオン化する化合物である。電解液はＮａＣｌなどの溶解された塩を含有し得る。錯体は、リガンドまたは錯化剤として知られる固定分子またはアニオンの周囲配列を有する原子またはイオンであり得る。電解質または電解液がＩＥＭと相互作用するとき、ＩＥＭは電解質または電解液中のカチオンおよびアニオンを置換することができる。カチオンは正味の正の電荷を有するイオン、例えばＮａ＋である。カチオンは、電解質または電解液中でＩＥＭの水素（Ｈ＋）イオンと置換され得る。アニオンは、正味の負の電荷を有するイオン、例えばＣｌ−である。アニオンは、電解質または電解液中でＩＥＭのヒドロキシル（ＯＨ−）イオンと置換され得る。Ｈ＋およびＯＨ−イオンは、電解質または電解液中で組み合わされて水を形成し得る。
【００２４】
いくつかの実施形態では、ＩＥＭ２１２は、酸性ポリマーでドープまたはグラフトされる、ポリスチレンなどの架橋ポリマーから形成された多孔性ビーズであり得る。酸性ポリマーの例は、ポリ（２−アクリルアミド−２−メチル−１−プロパンスルホン酸）またはポリＡＭＰＳを含み得る。ポリＡＭＰＳは、正に荷電された塩イオンをＨ＋と交換することができる。アルカリ性ポリマーの例は、ポリ（アクリルアミド−Ｎ−プロピルトリメチルアンモニウムクロリド）またはポリＡＰＴＡＣを含み得る。ポリＡＰＴＡＣは負に荷電された塩イオンをＯＨ−と交換する。
【００２５】
フィルタ層２１０のＩＥＭ２１２はまた、アニオンおよびカチオンの両方を同時に吸収することができる混合床イオン交換媒体を形成するために、カチオン交換媒体２１４およびアニオン交換媒体２１６の両方の混合物を含み得る。混合床媒体の非限定的な例は、ＡＭＢＥＲＬＩＴＥ  ＩＲＮ１５０およびＴＭＤ−８を含む。ＩＥＭは、例えば、イオン交換樹脂、ゼオライト、モンモリロナイト、ベントナイト、粘土、または土壌腐植質から形成され得る。イオン交換樹脂（イオン交換ポリマーとしても知られる）は、通常、有機ポリマー基体から形成される小さいビーズの形態の不溶性マトリックスである。イオン交換樹脂は、イオンを捕捉かつ放出する細孔を表面に有し得る。イオン交換樹脂は、例えば架橋ポリスチレンを含むことができる。ゼオライトは微孔性のアルミノケイ酸鉱物である。ゼオライトは多孔質構造を有し、それにより、例えばＮａ＋、Ｋ＋、Ｃａ２＋およびＭｇ２＋などのカチオンがゼオライトに収容されることを可能にする。一般的なゼオライトは、例えば、ホウフッ石、リョウフッ石、クリノプチロライト、輝沸石、ソーダフッ石、フィリップス沸石、およびタバフッ石を含む。上記の物質に加えて、他のイオン交換媒体は、例えば粒子および布または不織布の形態の両方である活性化された炭、およびＣｈｅｍｖｉｒｏｎ  Ｃａｒｂｏｎとしても知られるＺｏｒｆｌｅｘを含む。Ｃｈｅｍｖｉｒｏｎ  Ｃａｒｂｏｎはまた、１００％活性化された炭素としても知られ得る。
【００２６】
コア２０８は、アルギン酸または一緒に融着された粒子、例えばカルボキシメチルセルロース（ＣＭＣ）またはポリアクリル酸から形成されたものなど、高吸収性繊維の形態であり得る。いくつかの実施形態では、高吸収性繊維は、非限定的に、湿式紡糸、乾式紡糸、溶融紡糸、ゲル紡糸または電解紡糸など、様々な紡糸プロセスによって形成または製造され得る。プロセスの第１ステップとして、繊維形成ポリマーは流動状態に変換され得る。ポリマーは、溶融されるか、溶媒中で溶解されるか、または化学的に処理されて、溶解性誘導体を形成することができる。溶融されたポリマーは、紡糸口金、多孔性装置を通して押出され、繊維を形成し得る。
【００２７】
いくつかの実施形態では、繊維１０６は、共押出プロセスを用いて、高吸収性コア材料と、イオン交換媒体を含有するフィルタ層材料とを同時に押出すことによって形成され得る。例えば、いくつかの実施形態では、共押出プロセスは、イオン交換媒体を含有し得る外側フィルタ層材料を形成する押出し機と、外側フィルタ層材料に高吸収性コア材料を注入または充填するための付属システムとの使用を伴う。
【００２８】
図３をより詳細に参照すると、繊維マトリックスの別の例示的実施形態を示す概略図が示されている。図３に示される繊維マトリックス３０２は、繊維１０６と同様または類似する特性を有する短繊維３０６を含み得る。例えば、繊維３０６は、フィルタ層２１０などのＩＥＭ層によって包み込まれたコア２０８などのコアを含み得る。いくつかの例示的実施形態において、繊維３０６は、支持体３１８などの支持材料中に分散され得る。繊維３０６は、組織部位によって放出されると予想される液体量を含む様々な要因に依存して様々な寸法または形状を有し得るが、好ましくは、約１〜５０マイクロメートルの範囲内、より典型的には約５〜２５マイクロメートルの範囲内の直径を有し得る。いくつかの実施形態では、支持体３１８は、連続ポリマー水透過性マトリックスであり得、負圧の通過を許容するように穿孔されている。そのようなポリマーは、ポリビニルアルコール、ポリアクリル酸およびその塩（ナトリウムおよびカリウム）、カルボキシメチルセルロース（ＣＭＣ）、他のセルロース系材料、ポリアクリルアミド、ポリウレタン、ならびにポリエチレンオキシドおよびグリコールのポリマーおよびコポリマーを含み得る。いくつかの実施形態では、支持体はまた、織られたまたは織られない繊維、例えば、ポリ−およびコポリ−エステル、ポリオレフィン、セルロース系材料、またはこれらの材料の何れかのブレンドから形成されたテキスタイルであり得る。
【００２９】
図４は、繊維マトリックスの別の例示的実施形態を示す。図４の繊維マトリックス４０２は、複数の層を含み得る繊維４２０を含み得る。例えば、図４の実施形態において、繊維４２０は、コア４２２などの吸収性ストランドと、ＩＥＭを有するフィルタストランド４２３とを含み得る。いくつかの実施形態では、コア４２２は、高吸収性ストランドの形態であり得、フィルタストランドはコア４２２の周囲で撚られ得る。いくつかの実施形態では、繊維４２０などの繊維は、支持体４１８などの支持材料中に分散され得る。フィルタストランド４２３は、酸交換媒体４２８を含み得る酸交換ストランド４２４と、アルカリ交換媒体４３０を含み得るアルカリ交換ストランド４２６とを含み得る。いくつかの実施形態では、フィルタストランド４２３は、カチオン交換樹脂またはアニオン交換樹脂を含み得る。他の実施形態では、フィルタストランド４２３は、カチオンおよびアニオン交換樹脂の組合せを含み得る。
【００３０】
図４の例示的実施形態において、フィルタストランド４２３は、流体がコア４２２と接触する前に流体からイオン性材料を低減または除去することができる。３つの機能的要素、すなわち、高吸収性コア、酸性イオン交換媒体、およびアルカリ性イオン交換媒体のそれぞれを、別々のストランドとして含むことにより、繊維４２０の製造を簡素化することができる。例えば、単一の複合繊維を製造するため、互いに一貫性を保持するために４種類以上のフィードストックストリームが必要とされる繊維製造または紡糸方法は必要ないことがあり得る。
【００３１】
繊維１０６または繊維４２０など、イオン交換媒体を有する吸収性繊維は、多くの有益または有利な用途を有し得る。例えば、繊維マトリックス１０４、繊維マトリックス３０２または繊維マトリックス４０２など、イオン交換媒体を有する吸収性繊維を有する吸収層は、減圧による創傷の処置に特に有利であり得る。減圧による創傷または他の組織の処置は、一般に「減圧治療」と称され得るが、他の名称でも知られ、例えば「負圧創傷治療」、「負圧治療」、「陰圧治療」および「陰圧補助閉鎖」が含まれる。減圧治療は多くの恩恵をもたらし得る治療であり、それらの恩恵には上皮および皮下組織の移動、改善された血流、および創傷部位における組織の微小な変形が含まれる。これらの恩恵が合わさることにより肉芽組織の発生を増大することができ、および治癒時間を短縮することができる。
【００３２】
図５は、イオン交換媒体を有する吸収性繊維を含み得る減圧治療システム５００の例示的実施形態の概略図である。例えば、減圧治療システム５００は、組織部位の近くに位置付けることができるドレッシング５３２と、減圧をドレッシング５３２に提供するための減圧源５３４とを含み得る。いくつかの実施形態では、ドレッシング５３２は、マニホルド５４０と、吸収層５０２と、ドレープ５３８とを含み得る。吸収層５０２は、繊維マトリックスまたは本明細書に記載されるイオン交換媒体を有する繊維の適切な特徴、構造または要素の全体的または部分的な任意の組合せを組み込み得る。例えば、吸収層５０２は、繊維マトリックス１０４、繊維マトリックス３０２、繊維マトリックス４０２、またはこれらの実施形態の特徴の何れかの適切な組合せを組み込み得る。ドレッシング５３２は、減圧源５３４に流体結合され得る。減圧治療システム５００はまた、ドレッシング５３２および減圧源５３４に結合された、容器５４２などの滲出液容器を含み得る。
【００３３】
用語「組織部位」は、骨組織、脂肪組織、筋肉組織、神経組織、皮膚組織、血管組織、結合組織、軟骨、腱、または靭帯を含むが、それらに限定されない組織の上または中に位置する創傷または欠損を指す場合がある。組織部位は、例えば慢性、急性、外傷性、亜急性、および裂開性創傷、部分的に厚いやけど、潰瘍（糖尿病性、圧迫性、または静脈不全性潰瘍など）、皮弁および移植片を含み得る。用語「組織部位」はまた、必ずしも創傷も欠損もないが、追加的な組織の成長を追加または促進することが所望され得る領域である何れかの組織の領域を指す場合もある。例えば、減圧は、採取され得るまたは別の組織箇所へ移植され得る追加の組織を成長させるために特定の組織領域で使用され得る。
【００３４】
減圧源５３４などの減圧源は、減圧の空気貯蔵庫であり得、または例えば陰圧ポンプ、吸引ポンプ、多くの医療施設で利用可能な壁の吸引ポートまたはミクロポンプなど、密閉体積内の圧力を低減可能な手動装置または電動装置であり得る。減圧源は、センサ、処理ユニット、警報指示器、メモリ、データベース、ソフトウェア、ディスプレイ装置、またはユーザインターフェースなど、減圧治療をさらに促進する他の構成要素内に収容されてもよく、またはそれらと併せて使用されてもよい。組織部位に適用される減圧の量および性質は治療要件に従って変化し得る一方、圧力は約−５ｍｍＨｇ（−６６７Ｐａ）〜約−５００ｍｍＨｇ（−６６．７ｋＰａ）の低い陰圧であり得る。いくつかの実施形態では、圧力は約−７５ｍｍＨｇ（−９．９ｋＰａ）〜約−３００ｍｍＨｇ（−３９．９ｋＰａ）であり得る。
【００３５】
一般に、滲出液および他の流体は流体経路に沿ってより低い圧力の方へ流れ得る。さらに流体は、各透過性材料間で増大する親水度または吸収度の経路に沿って各透過性材料を通って流れるように引かれ得る。従って、用語「下流」は、「上流」と称され得る構成要素よりも流体経路に沿って遠くにある構成要素を指す場合がある。同様に、特定の特徴を、流体の「入口」または「出口」の観点から、そのような基準枠で記載することが好都合であり得る。この方向性は、一般に、本明細書の負圧治療システムの様々な特徴および構成要素を記載するために仮定される。しかしながら、流体経路はまた、使用によっては（負圧源の代わりに正圧源を使用することによってなど）逆転される場合もあり、この記述的な規則は、限定的な規則として解釈するべきでない。
【００３６】
「減圧」は、密封治療環境の外部の局所的環境中の周囲圧力などの局所的周囲圧力より低い圧力を指す場合がある。局所的周囲圧力は、患者が置かれている大気圧でもあり得る。さらに圧力は、組織部位における組織に関連付けられる静水圧未満であり得る。特段の指示のない限り、本明細書に記載される圧力の値はゲージ圧力である。同様に、減圧の増大への言及は絶対圧力の低減を典型的に指し、一方で、減圧の低減は絶対圧力の増大を典型的に指す。
【００３７】
減圧治療システム５００の構成要素は、直接または間接的に結合され得る。構成要素は、構成要素間で流体（例えば液体および／または気体）を移送するための経路を提供するように互いに流体結合され得る。いくつかの例示的実施形態では、構成要素は、チューブなどの導管と流体結合され得る。「チューブ」は、本明細書で使用される際、パイプ、ホース、導管、または２つの端部間で流体を搬送するように作られた１つまたは複数の管腔を有する他の細長い構造を指す場合がある。いくつかの例示的実施形態では、構成要素は、追加的または代替的に、物理的近接性によって結合され得、単一構造物に一体化されるか、または同一材料片から形成される。結合は状況によっては機械的、熱的、電気的または化学的な結合（化学結合など）も含み得る。
【００３８】
マニホルド５４０は、組織部位、吸収層５０２およびドレープ５３８と流体連通するように適合され得る。例えば、マニホルド５４０は、組織部位の中に、それを覆って、その上にまたはその近くに配置され得る。吸収層５０２は、組織部位またはマニホルド５４０とドレープ５３８との間に配置され得る。ドレープ５３８は、マニホルド５４０および吸収層５０２を覆って配置され得、組織部位の近くの組織に封じ付けられ得る。組織部位の近くの組織は、組織部位の近くの未損傷の表皮であり得る。その結果、ドレッシング５３２は、組織部位の近くに、外部環境から組織部位を実質的に隔絶する密封治療環境を提供することができる。減圧源５３４は、密封治療環境内の圧力を低減することができる。密封治療環境内のマニホルド５４０を介して均一に適用された減圧は、組織部位内に大きい歪みおよび微小な歪みを誘発可能であり、かつ滲出液および他の流体を組織部位から取り除くことができる。
【００３９】
いくつかの実施形態では、マニホルド５４０は組織部位と接触するように適合され得る。マニホルド５４０は組織部位と部分的または完全に接触し得る。組織部位が例えば組織表面から組織中へ延在する場合、マニホルド５４０は部分的または完全に組織部位を満たし得る。他の例示的実施形態において、マニホルド５４０は、組織部位の上に配置され得る。マニホルド５４０は、実行される処置の種類または組織部位の性質および寸法など、様々な要因に依存して、多くの形態を取り得、また多くの寸法、形状または厚さを有し得る。例えば、マニホルド５４０の寸法および形状は、深く不規則な形状の組織部位の輪郭に適合され得る。
【００４０】
マニホルド５４０は、組織部位全体にわたって減圧を分配するように、流体を組織部位全体から除去するように、またはその両方を実行するように適合された物体または構造物を含み得る。いくつかの例示的な実施形態では、マニホルド５４０はまた、例えば流体経路が逆転されるか、または第２の流体経路が設けられる場合、組織部位全体にわたって流体を送達することを促進し得る。マニホルド５４０は、マニホルド５４０の周囲の組織部位へ提供され、そこから除去される流体を分配する流れチャネルまたは経路を含み得る。１つの例示的な実施形態において、流れチャネルまたは経路は、組織部位へ提供されるか、または組織部位から除去される流体の分配を改善するように相互に接続され得る。例えば、気泡質発泡体、連続気泡発泡体、多孔性組織集積物、およびガーゼまたはフェルトマットなどの他の多孔性材料が、流れチャネルを形成するように配置された構造要素を含み得る。液体、ゲルおよび他の発泡体もまた、組織部位全体にわたり流体を分配するように構成された流れチャネルを含み得るか、または含むように硬化され得る。
【００４１】
１つの例示的な実施形態では、マニホルド５４０は、実質的に均一に組織部位全体にわたり減圧を分配するように適合された相互接続気泡または細孔を有する多孔質発泡材料であり得る。発泡材料は、疎水性または親水性の何れかであり得る。１つの非限定的な例では、マニホルド５４０は、Ｋｉｎｅｔｉｃ  Ｃｏｎｃｅｐｔｓ，Ｉｎｃ．（Ｓａｎ  Ａｎｔｏｎｉｏ，Ｔｅｘａｓ）から入手可能なＧｒａｎｕＦｏａｍ（登録商標）ドレッシングなどの連続気泡型網状ポリウレタン発泡体であり得る。
【００４２】
マニホルド５４０が親水性材料から作られ得る例示的な実施形態において、マニホルド５４０はまた、組織部位から流体を吸い上げ得る一方で、減圧組織部位に分配し続ける。マニホルド５４０の吸上げ特性は、毛管流または他の吸上げ機序によって組織部位から流体を引き離し得る。親水性発泡体の例は、Ｋｉｎｅｔｉｃ  Ｃｏｎｃｅｐｔｓ，Ｉｎｃ．（Ｓａｎ  Ａｎｔｏｎｉｏ，Ｔｅｘａｓ）から入手可能なＶ．Ａ．Ｃ．ＷｈｉｔｅＦｏａｍ（登録商標）ドレッシングなどのポリビニルアルコールの連続気泡発泡体である。他の親水性発泡体はポリエーテルから作製されたものを含み得る。親水特性を示し得る他の発泡体は、親水性をもたらすように処理またはコートされた疎水性発泡体を含む。
【００４３】
マニホルド５４０はさらに、密封治療環境内の圧力が低減されるとき、組織部位において肉芽形成を促進し得る。例えば、減圧がマニホルド５４０を通して組織部位に適用される場合に組織部位に微小な歪みおよび応力を誘発できる、平らでない、粗いまたは鋸歯状のプロファイルを、マニホルド５４０の表面の何れかまたは全てが有してもよい。
【００４４】
１つの例示的な実施形態において、マニホルド５４０は、生体再吸収性材料から構成されてもよい。適切な生体再吸収性材料は、ポリ乳酸（ＰＬＡ）およびポリグリコール酸（ＰＧＡ）の高分子ブレンドを含み得るが、それに限定されない。この高分子ブレンドはポリカーボネート、ポリフマレートおよびカプララクトンも含み得るが、それらに限定されない。マニホルド５４０が新しい細胞成長の足場としてさらに機能し得るか、または細胞成長を促進するために足場材料がマニホルド５４０と組み合わせて使用され得る。足場は、一般に、細胞成長のためのテンプレートを提供する３次元多孔性構造物など、細胞の成長または組織の形成を向上させるまたは促進するために使用される物体または構造物である。足場材料の説明に役立つ例は、リン酸カルシウム、コラーゲン、ＰＬＡ／ＰＧＡ、珊瑚状ヒドロキシアパタイト、カーボネート、または処理された同種移植材料を含む。
【００４５】
ドレープ５３８は、密封部材の例である。密封部材は、治療環境と局所的外部環境との間など、２つの構成要素間または２つの環境間の流体シールを提供するために構成され得る。密封部材は、例えば、所与の減圧源の減圧を組織部位で維持するのに適したシールを提供できる不透過性または半透過性の弾性フィルムであり得る。半透過性材料に関して、その透過性は、一般に、所望の減圧を維持できるように十分に低くあるべきである。密封部材を、未損傷表皮、ガスケットまたは別の密封部材などの取付表面に取り付けるために取付装置が使用され得る。取付装置は多くの形態をとり得る。例えば、取付装置は、密封部材の周辺、一部または全体の周りに広がる医療的に許容可能な感圧性接着剤であり得る。取付装置の他の例示的実施形態は、両面テープ、糊、親水コロイド、ヒドロゲル、シリコーンゲル、オルガノゲルまたはアクリル系接着剤を含み得る。
【００４６】
いくつかの実施形態では、減圧源５３４によって生成された減圧は、チューブを介してコネクタへ送達され得る。コネクタは、減圧源５３４を、ドレープ５３８によって形成された密封治療環境に流体結合するように構成された装置であり得る。いくつかの実施形態では、コネクタは、ドレープ５３８に結合するフランジ部分と、チューブに流体結合するポート部分とを含み得る。１つの例示的な実施形態において、コネクタは、Ｋｉｎｅｔｉｃ  Ｃｏｎｃｅｐｔｓ，Ｉｎｃ．（Ｓａｎ  Ａｎｔｏｎｉｏ，Ｔｅｘａｓ）から入手可能なＴ．Ｒ．Ａ．Ｃ．（登録商標）パッドまたはＳｅｎｓａ  Ｔ．Ｒ．Ａ．Ｃ．（登録商標）パッドであり得る。他の例示的実施形態において、コネクタはまた、ドレープ５３８を通して挿入される導管であり得る。コネクタは、ドレープ５３８と組織部位との間の密封治療環境に減圧が送達されることを可能にする。いくつかの実施形態では、コネクタは、ドレープ５３８を貫通して吸収層５０２まで伸び得るが、多数の構成が考えられる。コネクタは、ドレッシング５３２のドレープ５３８を貫通してマニホルド５４０まで減圧を送達することができる。
【００４７】
また、吸収層５０２は気体透過性であると好ましい。例えば、いくつかの実施形態では、吸収層５０２は繊維１０６を含み得、繊維１０６中、コア２０８がＳＡＰを含み得る。減圧は、吸収層５０２のそのような実施形態において、繊維１０６間の空間または空隙によっておよびそれを通して伝達され得る。
【００４８】
容器５４２は、組織部位から引かれた滲出液および他の流体を管理するために使用可能な容器、キャニスタ、パウチまたは他の貯蔵構成要素の代表的なものである。多くの環境において、流体の収集、貯蔵および処分に剛性容器が好まれ得るか、または必要とされ得る。他の環境において、流体は剛性容器での貯蔵なしに適切に処分され得、再利用可能容器が、減圧治療に関連付けられるごみおよび費用を低減することができる。減圧治療システム５００のいくつかの例示的実施形態は、容器５４２を含まなくてもよい。代わりに、治療システム５００のこれらの例示的実施形態は、ドレッシング５３２および吸収層５０２を用いて流体の貯蔵に対処する。
【００４９】
図６は、容器５４２のいくつかの実施形態に関連付けられ得る追加的な細部を示す断面図である。いくつかの実施形態において、容器５４２は、内側６５４を有する本体６４４を含む。いくつかの実施形態において、吸収シート６５６が、容器５４２の内側６５４内に配置され得る。吸収シート６５６は、例えば繊維マトリックス１０４などの１つまたは複数の繊維マトリックスを含み得るか、またはそれから形成され得る。
【００５０】
いくつかの例示的な実施形態において、吸収シート６５６は内側６５４を実質的に満たし得る。他の例示的実施形態において、吸収シート６５６は内側６５４の一部のみを満たし得る。容器５４２の内側６５４は、吸収シート６５６が組織部位から流体を吸収する場合に吸収シート６５６が拡張することを可能にするように適合され得る。いくつかの実施形態において、容器５４２は剛性であり得、吸収シート６５６は内側６５４を実質的に満たさず、吸収シート６５６が拡張するための空間を残す場合がある。いくつかの実施形態において、容器５４２は柔軟性であり得、内側６５４は、吸収シート６５６の拡張に適応するために拡張するように構成され得る。加えて、内側６５４内の吸収シート６５６の量および配置は、容器５４２を通過してドレッシング５３２に至る減圧の流体連通を可能にするように必要に応じて変化し得る。
【００５１】
容器５４２は、流体入口６４８および流体出口６５２をさらに含み得る。いくつかの実施形態において、流体入口６４８は容器５４２の壁を通過し、内側６５４と、容器５４２の外側の領域との間の流体連通を提供し得る。いくつかの実施形態において、チューブ６４６が流体入口６４８に流体結合し得、その結果、チューブ６４６はドレッシング５３２と内側６５４との間の流体連通を提供し得る。流体出口６５２は、容器５４２の壁を貫いて伸び、本体内側６５４と容器１１２の外側領域との間の流体連通を提供し得る。いくつかの実施形態において、チューブ６５０は流体出口６５２と流体結合され得、減圧源５３４などの減圧源にさらに流体結合され得、減圧源と内側６５４との間の流体連通を可能にする。流体入口６４８および流体出口６５２は、図６に示されるように容器５４２に配置され得る。他の実施形態では、流体入口６４８および流体出口６５２は、減圧治療システム５００の追加の構成要素を収容するために他の位置に配置され得る。例えば、容器５４２は減圧源と統合され得る。この例では、流体入口６４８および流体出口６５２は、統合された容器５４２および減圧源の様々な構成要素の配置に対応するように容器５４２の他の部分に配置され得る。
【００５２】
作動中、減圧源５３４は、減圧を、マニホルド５４０を含むドレッシング５３２に、最終的に組織部位に供給し得る。減圧は組織部位から流体を引き出し得、マニホルド５４０は流体を組織部位からドレッシング５３２へ分配し得る。組織部位から引かれた流体は高いイオン濃度を有する場合がある。ドレッシング５３２に到達すると、流体は、繊維１０６、繊維３０６または繊維４２０など、イオン交換媒体を有する繊維を含み得る吸収層５０２と接触し得る。創傷流体が例えば繊維１０６と接触する場合、フィルタ層２１０中のイオン交換媒体２１２は、ナトリウムおよび塩化物イオンなどの塩イオンを流体と交換することができる。流体のイオン塩含量は、コア２０８と接触する前に除去または実質的に低減され得、その結果、コア２０８は有意により多くの量の流体を吸収することが可能になる。
【００５３】
いくつかの実施形態において、組織部位から引かれた流体の大部分が吸収層５０２に吸収され得る一方、一部の流体はドレッシング５３２を通して引かれ得る。他の実施形態では、ドレッシング５３２は吸収層５０２を含まない場合があり、または吸収層５０２はイオン交換媒体を含まない場合がある。ドレッシング５３２に保持されない流体は容器５４２に、および容器５４２の内側６５４内へ引かれ得る。内側６５４に引き込まれた流体は容器５４２の内側６５４内の吸収シート６５６と接触し得る。吸収シート６５６は、上に記載したようなイオン交換繊維を有する吸収性繊維を含み得る。イオン交換繊維は、流体が吸収繊維のコアによって吸収される前、上に記載したように流体のイオン濃度を低減することができる。コアに進入する流体は低減されたイオン濃度を有し得、これにより吸収シート６５６による吸収効果を高めることが可能になり、これはまた容器５４２の収容能力を増大することもできる。
【００５４】
本明細書に記載したシステム、装置および方法は著しい利点を提供し得、そのいくつかは既に記載した。例えば、イオン交換繊維は、吸収繊維の吸収能力を大幅に向上させることができる。向上した吸収能力により、ドレッシングまたは容器中で使用される吸収材の量を低減することが可能になり得、これは例えばより小さいドレッシングまたは容器の使用を可能にする。加えて、より少ない吸収材料は、潜在的な費用削減を実現することができる。例えば、ＳＡＰの使用を低減することは、吸収材を製造する費用を低減し得、および例えばドレープまたは吸上げ層など、他の材料の費用を低減し得る。ドレッシングのグラム対グラムの流体処理能力は、蒸発などの他の要因に依存することなく改善可能である。
【００５５】
加えて、高吸収材を有するイオン交換繊維は、低プロファイルドのドレッシングを製造するのに有利であり得る。例えば、上に記載した方法で高吸収性コアとＩＥＭとを一緒に組み合わせることにより、吸収ドレッシングの正味効果は著しく改善され得る。いくつかの例では、例えば、正味効果は、ドレッシングが圧縮されているかどうかにかかわらず、約２５％増大することができる。さらに、ＩＥＭを含む水透過層を高吸収性コアの周囲に配置することにより、構造的一体性が吸収構造に追加され得、これは完全吸収能力時またはドレッシング交換中、構造が分離することを防止し得る。同様に、ＩＥＭを吸収繊維に結合することにより、ＩＥＭが遊離するまたは移動可能になる可能性が低減される。
【００５６】
いくつかの例示的実施形態が減圧治療用途に関連して記載される一方、特徴および利点の多くは他の環境および産業に容易に適用可能である。
【００５７】
特定の説明に役立つ非限定的な例示的実施形態を提示してきたが、様々な変更形態、交換形態、置換形態および修正形態が、付随の請求項の範囲から逸脱することなくなされ得る。何れか１つの例示的実施形態に関連して記載された何れかの特徴は、他の何れかの例示的実施形態にも適用可能であり得る。
【００５８】
さらに、本明細書に記載される方法のステップは、任意の適切な順番で、または適切な場合には同時に実行されてもよい。
【図１】
2017537670.tif 000003
【図２】
2017537670.tif 000004
【図３】
2017537670.tif 000005
【図４】
2017537670.tif 000006
【図５】
2017537670.tif 000007
【図６】
2017537670.tif 000008
【国際調査報告】
2017537670.tif 000009
2017537670.tif 000010
2017537670.tif 000011
2017537670.tif 000012
2017537670.tif 000013
2017537670.tif 000014